(57)【要約】      （修正有）【課題】摩耗した鋸歯を交換しやすいテーカインの鋸歯取付機を提供する。【解決手段】支持フレーム１２０、スライドプラットフォーム１３０、接続素子１４０、第１の鋸歯ガイドロッド１５０、第２の鋸歯ガイドロッド１６０、及び鋸歯プレス部材１７０を備える。支持フレームは、順に接合される第１〜第４の支持ロッドを含む。第２の支持ロッドと第４の支持ロッドは、ローラ１１２を受けるように配置されている。スライドプラットフォームは、第１の支持ロッドにスライド可能に設けられている。接続素子は、スライドプラットフォームに設けられている。第１の鋸歯ガイドロッド１５０は、第１の支持ロッドに対して回転可能に接続素子に設置されている。第２の鋸歯ガイドロッド１６０と第１の鋸歯ガイドロッドは接合されている。鋸歯プレス部材は、第２の鋸歯ガイドロッドに設けられ、ローラの表面に巻き付けられた鋸歯を貼り合わせるように配置されている。【選択図】図２
0003232239.tif 000002
【実用新案登録請求の範囲】
【請求項１】
テーカインのローラの表面に鋸歯を巻き付けることに適用されるテーカインの鋸歯取付機において、
順に接合される第１の支持ロッド、第２の支持ロッド、第３の支持ロッド、及び第４の支持ロッドを含む支持フレームであって、前記第２の支持ロッドと前記第４の支持ロッドが前記ローラを受けるように配置されている支持フレームと、
前記第１の支持ロッドにスライド可能に設けられているスライドプラットフォームと、
前記スライドプラットフォームに設けられている接続素子と、
前記第１の支持ロッドに対して回転可能に前記接続素子に設置されている第１の鋸歯ガイドロッドと、
前記第１の鋸歯ガイドロッドと接合され、前記接続素子とそれぞれ前記第１の鋸歯ガイドロッドの相対する両側に位置する第２の鋸歯ガイドロッドと、
前記第２の鋸歯ガイドロッドに設けられ、かつ、前記ローラの前記表面において前記鋸歯を横方向にプレスすることで、前記ローラの前記表面に巻き付けられた前記鋸歯を緊密に貼り合わせるように配置されている鋸歯プレス部材と、
を備えるテーカインの鋸歯取付機。
【請求項２】
前記接続素子は、枢転部を含み、前記第１の鋸歯ガイドロッドの端部は、前記枢転部に挿嵌され、かつ、前記枢転部の延伸方向と前記第１の支持ロッドの長さ方向は、実質的に平行である請求項１に記載のテーカインの鋸歯取付機。
【請求項３】
位置規制部材をさらに備え、前記位置規制部材は、前記枢転部に嵌着され、かつ、前記第１の鋸歯ガイドロッドの前記端部を前記枢転部に位置付けるように配置されている請求項２に記載のテーカインの鋸歯取付機。
【請求項４】
前記第１の鋸歯ガイドロッドは、張力調整装置を含み、前記張力調整装置は、前記ローラの前記表面に前記鋸歯を巻き付ける時に前記鋸歯の張力を調整するように配置されている請求項１に記載のテーカインの鋸歯取付機。
【請求項５】
前記第１の鋸歯ガイドロッドは、鋸歯ガイド装置を含み、前記鋸歯ガイド装置は、前記張力調整装置と前記ローラとの間に介在され、かつ、前記鋸歯を前記ローラの回動方向へ所定の角度だけ偏向させるように配置されている請求項４に記載のテーカインの鋸歯取付機。
【請求項６】
前記角度は、２０度〜３０度である請求項５に記載のテーカインの鋸歯取付機。
【請求項７】
前記鋸歯ガイド装置は、複数のガイド円柱を含み、前記鋸歯は、これらのガイド円柱の間を走行する請求項５に記載のテーカインの鋸歯取付機。
【請求項８】
前記第２の鋸歯ガイドロッドは、複数の固定穴を含み、前記固定穴は、前記第２の鋸歯ガイドロッドの長さ方向に沿って延伸して配列され、前記第１の鋸歯ガイドロッドは、前記固定穴の１つを通して前記第２の鋸歯ガイドロッドと接合されている請求項１に記載のテーカインの鋸歯取付機。
【請求項９】
前記鋸歯プレス部材は、
前記第２の鋸歯ガイドロッドに設けられている第１の端部及びそれと相対する第２の端部を有し、前記第２の鋸歯ガイドロッドから前記ローラへ延伸する延伸部材と、
前記第２の端部に設けられている鋸歯プレッサと、
を含む請求項１に記載のテーカインの鋸歯取付機。
【請求項１０】
前記鋸歯プレス部材は、さらに前記延伸部材に設けられる掛け部材を含み、
前記テーカインの鋸歯取付機は、さらに引張力付与部材を備え、前記引張力付与部材は、前記掛け部材と接合され、かつ、前記延伸部材に引張力を付与することにより、前記鋸歯プレッサに前記鋸歯をプレスさせるように配置され、前記引張力の方向は、前記ローラの長さ方向に平行である請求項９に記載のテーカインの鋸歯取付機。
【考案の詳細な説明】
【技術分野】
【０００１】
本考案は、梳綿機に関し、特にテーカイン（棘状の鋸歯がついたロール）の鋸歯取付機に関する。
【背景技術】
【０００２】
梳綿機は、前工程から送られてきた、又はホッパ給綿機から供給された綿ラップをカーディングし、全てのカールした塊状の綿ロープを剥き外して、まっすぐ伸びる単繊維状態にし、かつ、カーディング過程中に塵や屑などの雑物、ネップ及び短繊維を除去する。梳綿機は、さらに、繊維を十分に混合し、繊維の均斉度を増やし、繊維フィルムを結束させて一定の規格の綿スライバーにし、後続の工程での使用に備えることができる。
【考案の概要】
【考案が解決しようとする課題】
【０００３】
テーカインは、梳綿機のプリカーディング段階の重要な部材である。テーカインは、主に綿フロックをリントから分離するものである。テーカインは、一般的に、ローラと鋸歯を有する帯（以下、鋸歯（ｓａｗ  ｂｌａｄｅ）に略称する）を含み、鋸歯はローラの表面に被覆されて、綿層を打綿し、突き抜き、切断する。テーカインの鋸歯は、カーディング過程中に磨耗されることになる。一定の期間使用した後に、テーカインの摩損された鋸歯を交換する必要がある。
【０００４】
したがって、本考案の１つの目的は、鋸歯をテーカインのローラ表面に迅速かつ効果的に被覆することができ、梳綿機のダウンタイムを短縮し、梳綿機の運転順調性を高めることができるテーカインの鋸歯取付機を提供することにある。
【０００５】
本考案の他の目的は、異なる機種のテーカインごとに調整し、種々のテーカインの鋸歯取付処理に適用されることができ、適用性が高いテーカインの鋸歯取付機を提供することにある。
【課題を解決するための手段】
【０００６】
本考案の上記目的に基づき、テーカインのローラの表面に鋸歯を巻き付けることに適用されるテーカインの鋸歯取付機を提供する。このテーカインの鋸歯取付機は、支持フレーム、スライドプラットフォーム、接続素子、第１の鋸歯ガイドロッド、第２の鋸歯ガイドロッド、及び鋸歯プレス部材を備える。支持フレームは、順に接合される第１の支持ロッド、第２の支持ロッド、第３の支持ロッド、及び第４の支持ロッドを含み、第２の支持ロッドと第４の支持ロッドは、ローラを受けるように配置されている。スライドプラットフォームは、第１の支持ロッドにスライド可能に設けられている。接続素子は、スライドプラットフォームに設けられている。第１の鋸歯ガイドロッドは、第１の支持ロッドに対して回転可能に接続素子に設けられている。第２の鋸歯ガイドロッドは、第１の鋸歯ガイドロッドと接合され、かつ、接続素子とそれぞれ第１の鋸歯ガイドロッドの相対する両側に位置する。鋸歯プレス部材は、第２の鋸歯ガイドロッドに設けられ、かつ、ローラの表面において鋸歯を横方向にプレスすることで、ローラの表面に巻き付けられた鋸歯を緊密に貼り合わせるように配置されている。
【０００７】
本考案の１つの実施例によれば、前記接続素子は、枢転部を含み、第１の鋸歯ガイドロッドの端部は、枢転部に挿嵌され、かつ、枢転部の延伸方向と第１の支持ロッドの長さ方向は、実質的に平行である。
【０００８】
本考案の１つの実施例によれば、前記テーカインの鋸歯取付機は、位置規制部材をさらに備え、位置規制部材は、枢転部に嵌着され、かつ、第１の鋸歯ガイドロッドの端部を枢転部に位置付けるように配置されている。
【０００９】
本考案の１つの実施例によれば、前記第１の鋸歯ガイドロッドは、張力調整装置を含み、張力調整装置は、ローラの表面に鋸歯を巻き付ける時に鋸歯の張力を調整するように配置されている。
【００１０】
本考案の１つの実施例によれば、前記第１の鋸歯ガイドロッドは、鋸歯ガイド装置を含み、鋸歯ガイド装置は、張力調整装置とローラとの間に介在され、かつ、鋸歯をローラの回動方向へ所定の角度だけ偏向させるように配置されている。
【００１１】
本考案の１つの実施例によれば、前記角度は、２０度〜３０度である。
【００１２】
本考案の１つの実施例によれば、前記鋸歯ガイド装置は、複数のガイド円柱を含み、鋸歯は、これらのガイド円柱の間を走行する。
【００１３】
本考案の１つの実施例によれば、前記第２の鋸歯ガイドロッドは、複数の固定穴を含み、これらの固定穴は、第２の鋸歯ガイドロッドの長さ方向に沿って延伸して配列され、第１の鋸歯ガイドロッドは、そのうちの１つの固定穴を通して第２の鋸歯ガイドロッドと接合されている。
【００１４】
本考案の１つの実施例によれば、前記鋸歯プレス部材は、延伸部材及び鋸歯プレッサを含む。延伸部材は、互いに相対する第１の端部と第２の端部を有し、第１の端部は、第２の鋸歯ガイドロッドに設けられ、かつ、延伸部材は、第２の鋸歯ガイドロッドからローラへ延伸する。鋸歯プレッサは、第２の端部に設けられている。
【００１５】
本考案の１つの実施例によれば、前記鋸歯プレス部材は、さらに延伸部材に設けられている掛け部材を含む。上記テーカインの鋸歯取付機は、さらに引張力付与部材を備え、引張力付与部材は、掛け部材と接合され、かつ、延伸部材に引張力を付与することにより、鋸歯プレッサに鋸歯をプレスさせるように配置され、この引張力の方向は、ローラの長さ方向に平行である。
【図面の簡単な説明】
【００１６】
本考案の上記した目的及び他の目的、特徴、利点と実施例をより分かりやすくするために、添付図面を以下のように説明する。
【図１】本考案の一実施形態に係るテーカインの鋸歯取付機を示す上面視模式図である。
【図２】本考案の一実施形態に係るテーカインの鋸歯取付機を示す側面視模式図である。
【考案を実施するための形態】
【００１７】
図１と図２を参照されたく、それらは、それぞれ本考案の一実施形態に係るテーカインの鋸歯取付機を示す上面視模式図と側面視模式図である。テーカインの鋸歯取付機１００は、テーカイン１１０に鋸歯取付作業を行うために用いられる。テーカイン１１０は、主にローラ１１２、鋸歯１１４、及び２つの支持軸１１６を含む。鋸歯１１４は、ローラ１１２の表面１１２ａに被覆され、２つの支持軸１１６は、それぞれローラ１１２の相対する両端に固設されている。テーカインの鋸歯取付機１００は、テーカイン１１０のローラ１１２の表面１１２ａに鋸歯１１４を巻き付けることができる。
【００１８】
いくつかの実施例において、テーカインの鋸歯取付機１００は、主に支持フレーム１２０、スライドプラットフォーム１３０、接続素子１４０、第１の鋸歯ガイドロッド１５０、第２の鋸歯ガイドロッド１６０及び鋸歯プレス部材１７０を含んでよい。図１と図２に示すように、支持フレーム１２０は、第１の支持ロッド１２２ａ、第２の支持ロッド１２２ｂ、第３の支持ロッド１２２ｃ、第４の支持ロッド１２２ｄ及び複数のスタンド１２４を含んでよく、例えば、４つのスタンド１２４である。第１の支持ロッド１２２ａ、第２の支持ロッド１２２ｂ、第３の支持ロッド１２２ｃと第４の支持ロッド１２２ｄは順に接合され、矩形の枠体を形成する。スタンド１２４は、矩形の枠体を高く架設するように、それぞれこの矩形枠体の４つのコーナに接合されてよい。
【００１９】
第２の支持ロッド１２２ｂと第４の支持ロッド１２２ｄにそれぞれ受けフレーム１２６を設置してよい。この２つの受けフレーム１２６は、互いに対向して設置されて、それぞれテーカイン１１０の支持軸１１６を受け、さらにテーカイン１１０を受ける。いくつかの例示的な例では、図２に示すように、受けフレーム１２６は、テーカイン１１０の支持軸１１６を受けフレーム１２６に効果的に位置付けるように、略Ｖ字型凹み溝１２６ａを有してよい。
【００２０】
スライドプラットフォーム１３０は、第１の支持ロッド１２２ａに設けられている。スライドプラットフォーム１３０は、第１の支持ロッド１２２ａの長さ方向ＬＤ１に沿って、第１の支持ロッド１２２ａにおいてスライド可能である。
【００２１】
接続素子１４０は、例えば、螺着によりスライドプラットフォーム１３０に固定することができる。いくつかの例では、接続素子１４０は、固定部１４２と枢転部１４４を含んでよい。固定部１４２の一端は、スライドプラットフォーム１３０に固定接続され、固定部１４２の他端は、枢転部１４４と接合されている。即ち、スライドプラットフォーム１３０と枢転部１４４は、それぞれ固定部１４２の相対する両側に位置する。枢転部１４４は、例えば円筒状であってもよい。いくつかの例示的な例では、枢転部１４４の延伸方向ＥＤと第１の支持ロッド１２２ａの長さ方向ＬＤ１は、実質的に平行である。
【００２２】
図２に示すように、第１の鋸歯ガイドロッド１５０は、接続素子１４０と接合され、かつ、第１の支持ロッド１２２ａに対して回転可能である。いくつかの例示的な例では、第１の鋸歯ガイドロッド１５０は、端部１５２を有し、この端部１５２は、接続素子１４０の枢転部１４４に挿嵌可能である。枢転部１４４の延伸方向ＥＤと第１の支持ロッド１２２ａの長さ方向ＬＤ１が実質的に平行であるため、第１の鋸歯ガイドロッド１５０の端部１５２が、挿嵌した枢転部１４４の周りを回転する時、第１の鋸歯ガイドロッド１５０も同様に枢転部１４４に平行な第１の支持ロッド１２２ａの周りを回転する。
【００２３】
図１に示すように、テーカインの鋸歯取付機１００は、位置規制部材１８０をさらに含んでよい。位置規制部材１８０は、枢転部１４４の一端に嵌着されてよく、第１の鋸歯ガイドロッド１５０の端部１５２を枢転部１４４に位置付けることにより、第１の鋸歯ガイドロッド１５０の端部１５２が鋸歯１１４を巻き付ける過程中に枢転部１４４から脱出することを回避することができる。
【００２４】
いくつかの例では、第１の鋸歯ガイドロッド１５０は、張力調整装置１５４を含む。張力調整装置１５４は、端部１５２に隣接する。鋸歯１１４は、張力調整装置１５４を通過することができる。張力調整装置１５４を操作することで、ローラ１１２の表面１１２ａに鋸歯１１４を巻き付ける時に鋸歯１１４の張力を調整することができ、さらに、鋸歯１１４をローラ１１２の表面１１２ａに巻き付ける場合の緊張度を制御することができる。
【００２５】
図１に示すように、いくつかの例では、第１の鋸歯ガイドロッド１５０は、鋸歯ガイド装置１５６をさらに含む。鋸歯ガイド装置１５６は、張力調整装置１５４とローラ１１２との間に設けられてもよい。鋸歯ガイド装置１５６は、鋸歯１１４が第１の鋸歯ガイドロッド１５０からローラ１１２までの間を回動する方向を調整することに用いられる。例として、鋸歯ガイド装置１５６は、鋸歯１１４が第１の鋸歯ガイドロッド１５０からローラ１１２までの間を回動する方向をある角度だけ偏向させて、鋸歯１１４がローラ１１２の表面１１２ａにおいて上下に重なり合うことを回避することができる。鋸歯ガイド装置１５６は、例えば、鋸歯１１４のローラ１１２への回動方向を約２０度〜約３０度偏向させることができる。いくつかの例示的な例では、鋸歯ガイド装置１５６は、複数のガイド円柱１５６ａを含んでよい。これらのガイド円柱１５６ａは垂直に設置可能であり、鋸歯１１４は、これらのガイド円柱１５６ａの間を穿設され、かつ、巻き付ける過程中にこれらのガイド円柱１５６ａの間を行走することができる。これにより、これらのガイド円柱１５６ａは、鋸歯１１４の回動方向を変えることができる。
【００２６】
第２の鋸歯ガイドロッド１６０は、第１の鋸歯ガイドロッド１５０と接合され、ただし、第２の鋸歯ガイドロッド１６０と接続素子１４０は、それぞれ第１の鋸歯ガイドロッド１５０の相対する両側に位置する。いくつかの例では、図２に示すように、第２の鋸歯ガイドロッド１６０に多くの固定穴１６２が設けられている。これらの固定穴１６２は、第２の鋸歯ガイドロッド１６０を貫通し、かつ、第２の鋸歯ガイドロッド１６０の長さ方向ＬＤ２に沿って第２の鋸歯ガイドロッド１６０内に延伸して配列されている。第２の鋸歯ガイドロッド１６０は、１つの固定穴１６２を通して第１の鋸歯ガイドロッド１５０と接合することができる。例として、これらの固定穴１６２は、ネジ穴であってもよく、ネジ締めにより第１の鋸歯ガイドロッド１５０と第２の鋸歯ガイドロッド１６０を接合する。第２の鋸歯ガイドロッド１６０内にその長さ方向ＬＤ２に沿って配列される固定穴１６２を設置することにより、ローラ１１２の寸法に合わせて、第２の鋸歯ガイドロッド１６０の第１の鋸歯ガイドロッド１５０へ突き出る長さを調整し、さらにテーカインの鋸歯取付機１００全体の長さを調整することができる。
【００２７】
続いて、図１を参照し、鋸歯プレス部材１７０は、第２の鋸歯ガイドロッド１６０に設置され、かつ、ローラ１１２の上方に位置する。例として、鋸歯プレス部材１７０は、第２の鋸歯ガイドロッド１６０の１つの固定穴１６２を通して、第２の鋸歯ガイドロッド１６０と接合することができる。ローラ１１２の寸法に合わせて、鋸歯プレス部材１７０の第２の鋸歯ガイドロッド１６０での設置位置を調整することができる。鋸歯プレス部材１７０は、ローラ１１２の表面１１２ａにおいて鋸歯１１４を横方向にプレスし、即ち、これからローラ１１２の表面１１２ａに巻き付けられる鋸歯１１４を、既にローラ１１２の表面１１２ａに巻き付けられた鋸歯１１４の側面に横方向に押し付けることにより、ローラ１１２の表面１１２ａに巻き付けられた鋸歯１１４を緊密に貼り合わせるために用いられる。
【００２８】
いくつかの例では、鋸歯プレス部材１７０は、主に延伸部材１７２と鋸歯プレッサ１７４を含んでよい。延伸部材１７２は、第２の鋸歯ガイドロッド１６０に設けられ、かつ、第２の鋸歯ガイドロッド１６０からローラ１１２へ延伸する。延伸部材１７２は、互いに相対する第１の端部１７２ａと第２の端部１７２ｂを有する。延伸部材１７２の第１の端部１７２ａは、第２の鋸歯ガイドロッド１６０に設置されている。鋸歯プレッサ１７４は、延伸部材１７２の第２の端部１７２ｂに設けられている。鋸歯プレッサ１７４は、ローラ１１２の表面１１２ａ上の鋸歯１１４を横方向にプレスするために用いられる。
【００２９】
いくつかの例では、鋸歯プレス部材１７０は、掛け部材１７６をさらに含んでよく、ただし、この掛け部材１７６が延伸部材１７２に設けられている。掛け部材１７６は、例えばフックなどのオブジェクトと鋸歯プレス部材１７０が接合するための要素であってもよい。このような例では、テーカインの鋸歯取付機１００は、鋸歯プレス部材１７０に引張力を付与するように、引張力付与部材１９０をさらに含んでよい。引張力付与部材１９０は、鋸歯プレス部材１７０の延伸部材１７２に引張力を付与することで、延伸部材１７２に設置される鋸歯プレッサ１７４に鋸歯１１４を横方向にプレスさせることができる。引張力付与部材１９０によって鋸歯プレス部材１７０に付与される引張力の方向１９２は、例えば、ローラ１１２の長さ方向ＬＤ３に実質的に平行であってもよい。ただし、引張力の方向１９２は、ローラ１１２の長さ方向ＬＤ３に平行でなくてもよい。例として、引張力付与部材１９０は、ロープにより掛け部材１７６に掛けられるように、延伸部材１７２と接合されることができる。引張力付与部材１９０は、例えば金属ブロック、レンガブロック又はプラスチックブロックなどの重量物であってもよい。引張力付与部材１９０は、引張力を提供可能な機器であってもよい。
【００３０】
テーカインの鋸歯取付機１００を利用してローラ１１２に対して鋸歯取付作業を行う際に、まず支持軸１１６を利用してローラ１１２を支持フレーム１２０に架設することができる。続いて、ローラ１１２の寸法に応じて、第１の鋸歯ガイドロッド１５０と第２の鋸歯ガイドロッド１６０との間の接合位置、及び鋸歯プレス部材１７０と第２の鋸歯ガイドロッド１６０との間の接合位置を調整することにより、鋸歯プレス部材１７０の鋸歯プレッサ１７４がローラ１１２の表面１１２ａに位置するようにすることができる。この時、鋸歯プレス部材１７０の鋸歯プレッサ１７４は、テーカインの鋸歯取付機１００の重力によってローラ１１２の表面１１２ａに押し付けられる。
【００３１】
続いて、鋸歯１１４を順に第１の鋸歯ガイドロッド１５０の張力調整装置１５４と鋸歯ガイド装置１５６内に穿設し、鋸歯１１４を鋸歯プレス部材１７０の鋸歯プレッサ１７４の外側面まで延伸させることができる。この時、引張力付与部材１９０と掛け部材１７６を連結して、引張力付与部材１９０が掛け部材１７６を介して延伸部材１７２に付与した引張力を利用して、鋸歯プレッサ１７４に引張力付与部材１９０の方向へ鋸歯１１４をプレスさせることができる。続いて、ローラ１１２を回転させることにより、鋸歯１１４をローラ１１２の一側から順にローラ１１２の表面１１２ａに巻き付けることできる。
【００３２】
上記した実施形態から分かるように、本考案の１つの利点は、本考案のテーカインの鋸歯取付機により、鋸歯をテーカインのローラ表面に迅速かつ効果的に被覆することができるため、梳綿機のダウンタイムを短縮し、梳綿機の運転順調性を高めることができることである。
【００３３】
上記した実施形態から分かるように、本考案の別の利点は、本考案のテーカインの鋸歯取付機により、異なる機種のテーカインごとに調整し、種々のテーカインの鋸歯取付処理に適用されることができ、適用性が高いことである。
【００３４】
本考案を実施例で以上のように開示したが、それは本考案を限定するものではなく、当業者であれば、本考案の精神と範囲から逸脱しない限り、多様の変更や修飾を加えることができ、従って、本考案の保護範囲は、後に添付された実用新案登録請求の範囲で指定した内容を基準とする。
【符号の説明】
【００３５】
１００  テーカインの鋸歯取付機
１１０  テーカイン
１１２  ローラ
１１２ａ  表面
１１４  鋸歯
１１６  支持軸
１２０  支持フレーム
１２２ａ  第１の支持ロッド
１２２ｂ  第２の支持ロッド
１２２ｃ  第３の支持ロッド
１２２ｄ  第４の支持ロッド
１２４  スタンド
１２６  受けフレーム
１２６ａ  略Ｖ字型凹み溝
１３０  スライドプラットフォーム
１４０  接続素子
１４２  固定部
１４４  枢転部
１５０  第１の鋸歯ガイドロッド
１５２  端部
１５４  張力調整装置
１５６  鋸歯ガイド装置
１５６ａ  ガイド円柱
１６０  第２の鋸歯ガイドロッド
１６２  固定穴
１７０  鋸歯プレス部材
１７２  延伸部材
１７２ａ  第１の端部
１７２ｂ  第２の端部
１７４  鋸歯プレッサ
１７６  掛け部材
１８０  位置規制部材
１９０  引張力付与部材
１９２  方向
ＥＤ  延伸方向
ＬＤ１、ＬＤ２、ＬＤ３  長さ方向
【図１】
0003232239.tif 000003
【図２】
0003232239.tif 000004